(57)【特許請求の範囲】
【請求項１】
底部および周側部を有し、洗濯水が貯留される有底筒状の洗濯槽と、
上記底部に正逆方向に回転可能に設けられ、上記洗濯槽に貯留された洗濯水を攪拌して、正逆方向の水流を発生させる攪拌翼と、
上記周側部の内周面に取り付けられたリント捕獲装置と、
を備え、
上記リント捕獲装置が、
上記洗濯水に含まれるリントを捕獲するための捕獲室と、
周方向の側部の一方に設けられ、上記洗濯水を上記捕獲室の内部に流入させるための第１の流入口と、
周方向の側部の他方に設けられ、上記洗濯水を上記捕獲室の内部に流入させるための第２の流入口と、
上記捕獲室の内部に流入した洗濯水を上記捕獲室の外部に流出させるための流出口と、
上記攪拌翼による正方向の水流によって上記第１の流入口を開放すると共に、上記攪拌翼による逆方向の水流によって上記第１の流入口を閉鎖するように、上記第１の流入口に設けられた第１の開閉部と、
上記攪拌翼による逆方向の水流によって上記第２の流入口を開放すると共に、上記攪拌翼による正方向の水流によって上記第２の流入口を閉鎖するように、上記第２の流入口に設けられた第２の開閉部と、
上記捕獲室の上記第１の流入口と上記第２の流入口との間を仕切るように設けられたリブと、
を有し、
上記開閉部の少なくとも１つが、上記流入口を開閉する本体部と、この本体部から上記捕獲室の内部側に向かって伸びる流出防止部と、を有することを特徴とする洗濯機。
【請求項２】
請求項１に記載の洗濯機において、
上記流入口の少なくとも１つが、上記リント捕獲装置の周方向の側部における上記底部側の一部に設けられていることを特徴とする洗濯機。
【請求項３】
請求項１または２に記載の洗濯機において、
上記開閉部の少なくとも１つが、上記流入口および上記流入口の周辺部を覆うことができるように設けられていることを特徴とする洗濯機。
【請求項４】
請求項１から３のいずれか１つに記載の洗濯機において、
上記開閉部の少なくとも１つが、弾性部材で形成されていることを特徴とする洗濯機。
【発明の詳細な説明】
【技術分野】
【０００１】
本発明は、洗濯機に関する。
【背景技術】
【０００２】
従来、洗濯機としては、例えば、特許文献１に記載されたものがある。この洗濯機は、洗濯槽と、洗濯槽内の底部に回転可能に設けられた攪拌翼と、洗濯槽内の周側部に設けられたリントフィルタと、洗濯槽の外部に設けられ、洗濯槽の底部からリントフィルタまで伸びた水路とを備えている。この洗濯機では、洗濯中、洗濯槽内の洗濯水を攪拌翼の回転によって水路内に圧送し、リントフィルタを介して再び洗濯槽内に戻して循環させるようになっており、この循環により洗濯水に含まれる糸屑等（リント）をリントフィルタにより捕獲している。
【先行技術文献】
【特許文献】
【０００３】
【特許文献１】特開２０１０−０１２１４３号公報
【発明の概要】
【発明が解決しようとする課題】
【０００４】
しかしながら、上記洗濯機では、洗濯水を循環させるための水路を設けなければならないので、構造が複雑になり、製造コストが増大するという問題がある。
【０００５】
そこで、本発明の課題は、簡単な構成で洗濯水に含まれるリントを捕獲できる洗濯機を提供することにある。
【課題を解決するための手段】
【０００６】
上記課題を解決するため、本発明の洗濯機は、
底部および周側部を有し、洗濯水が貯留される有底筒状の洗濯槽と、
上記底部に正逆方向に回転可能に設けられ、上記洗濯槽に貯留された洗濯水を攪拌して、正逆方向の水流を発生させる攪拌翼と、
上記周側部の内周面に取り付けられたリント捕獲装置と、
を備え、
上記リント捕獲装置が、
上記洗濯水に含まれるリントを捕獲するための捕獲室と、
周方向の側部の一方に設けられ、上記洗濯水を上記捕獲室の内部に流入させるための第１の流入口と、
周方向の側部の他方に設けられ、上記洗濯水を上記捕獲室の内部に流入させるための第２の流入口と、
上記捕獲室の内部に流入した洗濯水を上記捕獲室の外部に流出させるための流出口と、
上記攪拌翼による正方向の水流によって上記第１の流入口を開放すると共に、上記攪拌翼による逆方向の水流によって上記第１の流入口を閉鎖するように、上記第１の流入口に設けられた第１の開閉部と、
上記攪拌翼による逆方向の水流によって上記第２の流入口を開放すると共に、上記攪拌翼による正方向の水流によって上記第２の流入口を閉鎖するように、上記第２の流入口に設けられた第２の開閉部と、
上記捕獲室の上記第１の流入口と上記第２の流入口との間を仕切るように設けられたリブと、
を有することを特徴としている。
【０００７】
また、一実施形態の洗濯機は、
上記開閉部の少なくとも１つが、上記流入口を開閉する本体部と、この本体部から上記捕獲室の内部側に向かって伸びる流出防止部と、を有する。
【０００８】
また、一実施形態の洗濯機は、
上記流入口の少なくとも１つが、上記リント捕獲装置の周方向の側部における上記底部側の一部に設けられている。
【０００９】
また、一実施形態の洗濯機は、
上記開閉部の少なくとも１つが、上記流入口および上記流入口の周辺部を覆うことができるように設けられている。
【００１０】
また、一実施形態の洗濯機は、
上記開閉部の少なくとも１つが、弾性部材で形成されている。
【発明の効果】
【００１１】
本発明の洗濯機によれば、洗濯水に含まれるリントが捕獲室に捕獲される。このため、簡単な構成で、洗濯水に含まれるリントを捕獲できる。
【００１２】
また、捕獲室の第１の流入口と第２の流入口との間を仕切るリブを設けている。これにより、一方の流入口から捕獲室の内部に流入した洗濯水が、他方の流入口に向かって流れないように洗濯水の流れが規制される。このため、例えば、攪拌翼の回転方向が反転し、開放されていた第１の流入口が閉鎖されるまでの間に、捕獲室に捕獲されたリントが、第２の流入口から捕獲室に流入した洗濯水によって、第１の流入口から捕獲室の外部に流出するのを防ぐことができる。
【図面の簡単な説明】
【００１３】
【図１】本発明の第１実施形態の洗濯機の縦断面図である。
【図２】図１の洗濯機の洗濯槽の縦断面図である。
【図３】図２のIII-III線に沿った断面図である。
【図４】図１の洗濯機のリント捕獲装置の斜視図である。
【図５】図４のリント捕獲装置を開いた状態の斜視図である。
【図６】図４のリント捕獲装置の動作を説明するための図２のIII−III線に沿った断面図である。
【図７】図４のリント捕獲装置の動作を説明するための図２のIII−III線に沿った他の断面図である。
【図８】本発明の第２実施形態の洗濯機のリント捕獲装置の横断面図である。
【発明を実施するための形態】
【００１４】
以下、本発明を図示の実施形態により詳細に説明する。なお、以下の説明では、図面に表された構成を説明するうえで、「上」、「下」、「左」、「右」等の方向を示す用語、及びそれらを含む別の用語を使用するが、それらの用語を使用する目的は図面を通じて実施形態の理解を容易にするためである。したがって、それらの用語は本発明の実施形態が実際に使用されるときの方向を示すものとは限らないし、それらの用語によって特許請求の範囲に記載された発明の技術的範囲が限定的に解釈されるべきでない。
【００１５】
（第１実施形態）
本発明の第１実施形態の洗濯機１は、図１に示すように、外箱１０を備える全自動型の洗濯機である。外箱１０の内部には、水槽２０と、水槽２０に収納された有底筒状の洗濯槽３０と、水槽２０の下側に設けられた駆動ユニット４０とが設けられている。水槽２０および洗濯槽３０は、上面が開口した有底筒形状をそれぞれ有しており、上面視における中心が一致するように配置されている。
【００１６】
外箱１０は、金属または合成樹脂からなり、直方体形状を有している。外箱１０の上面および底面は開口している。この外箱１０は、上面の開口に設けられた合成樹脂性の上面板１１と、底面の開口に設けられた合成樹脂性のベース１２とを有している。
【００１７】
上面板１１は、洗濯機１内に洗濯物を投入するための洗濯物投入口１４と、運転モードの選択等を行うための操作パネル（図示せず）とを有している。また、この上面板１１には、洗濯物投入口１４を開閉する上蓋１５が回転可能に取り付けられている。
【００１８】
また、上面板１１内には、電磁的に開閉する給水弁(図示せず)が配置されている。給水弁の上流側には、上面板１１を貫通して上方に突き出す接続管６１が設けられている。この接続管６１には、水道水などの上水を供給する給水ホース(図示せず)が接続される。また、給水弁の下流側は、洗濯槽３０の内部に臨む位置に配置された容器状の給水口(図示せず)に接続されている。
【００１９】
さらに、上面板１１内には、制御装置７０が配置されている。この制御装置７０は、演算等を行うＣＰＵ、洗濯機１の制御に必要なプログラムあるいはデータ等を記憶しておくＲＯＭおよびＲＡＭ等を有し、操作パネルからの信号等に基づいて、駆動ユニット４０等を制御する。
【００２０】
ベース１２は、外箱１０を支えるための脚部１３を有している。この脚部１３は、ベース１２の四隅にそれぞれ配置されている。また、このベース１２の側面には、接続管５３が外箱の外部に突出するように設けられている。
【００２１】
水槽２０は、その底部に開口する排水口５１を有し、外箱１０に対してサスペンション部材(図示せず)によって吊り下げられている。このサスペンション部材は、水槽２０の下方と外箱１０の上方とを連結する形で計４箇所に配備され、水槽２０を揺動可能に支持している。
【００２２】
洗濯槽３０は、洗剤を溶かした水またはすすぎ用の水などの洗濯水が溜められるようになっている。この洗濯槽３０は、底部３０１と、この底部３０１の周縁から上方に向かって伸びる周側部３０２とを有し、上端が略円形状に開口している。
【００２３】
底部３０１には、駆動ユニット４０により正逆方向に回転可能に配置された攪拌翼２と、それぞれ間隔を空けて配置された４つの排水孔５７とが設けられている。周側部３０２には、上部に間隔を空けて配置された複数の脱水孔３１と、内周面に着脱可能に取り付けられたリント捕獲装置１００とが設けられている。また、洗濯槽３０の上端の開口には、洗濯槽３０を高速回転させたときに振動を抑制する働きをする環状のバランサ３２が設けられている。
【００２４】
攪拌翼２は、駆動ユニット４０によって、操作パネルを介してユーザにより指示された運転コース等に応じて回転する。例えば、洗濯またはすすぎ運転を行う場合、攪拌翼２は、５０〜１５０ｒｐｍの回転速度で、正回転方向および逆回転方向に交互に繰り返し回転する。また、脱水運転を行う場合、攪拌翼２は、洗濯槽３０と一緒に０〜１０００ｒｐｍの回転速度で逆回転方向に回転する。
【００２５】
駆動ユニット４０は、モータ４１と、モータ４１の回転出力を伝達するベルト機構４２と、クラッチ・ブレーキ機構４３と、クラッチ・ブレーキ機構４３の中央部に同軸に配された脱水軸４４および攪拌翼軸４５とを含んでいる。脱水軸４４および攪拌翼軸４５は、脱水軸４４が外側に配置され、攪拌翼軸４５が内側に配置された二重軸構造となっている。脱水軸４４は、下方から上方に向かって水槽２０底面を貫き、洗濯槽３０を支持している。攪拌翼軸４５は、下方から上方に向かって水槽２０を貫通し、さらに洗濯槽３０の底部３０１を貫き、攪拌翼２を支持している。
【００２６】
また、洗濯機１は、排水孔５７、シールホルダ５４、排水口５１、排水路５２、および、接続管５３で構成された排水経路５０を有している。
【００２７】
シールホルダ５４は、水槽２０と洗濯槽３０との間に配置され、水槽２０の排水口５１に接続されていると共に、排水孔５７を介して洗濯槽３０の内部と連通している。このシールホルダ５４の内側には、オイルシール(図示せず)が圧入され、これにより洗濯槽３０がシールされ、水槽２０と洗濯槽３０との間に独立した排水空間５６が形成されている。
【００２８】
排水路５２は、水槽２０の下側に配置され、排水口５１と接続管５３とに接続されている。排水路５２の排水口５１と接続管５３との間には、排水弁５８が設けられている。接続管５３には、排水ホース（図示せず）が接続され、排水口５１、排水路５２、接続管５３、および、排水ホースを介して、水槽２０および洗濯槽３０内の水を外箱１０の外に排水するようになっている。
【００２９】
上記洗濯機１で洗濯またはすすぎ運転を行う場合、制御装置７０によって排水弁５８が閉じられ、洗濯槽３０内にのみ水が貯められる。また、脱水運転を行う場合、制御装置７０によって排水弁５８が開かれ、洗濯槽３０内の水は外部に排水される。各運転時に、脱水軸４４、攪拌翼軸４５、および、洗濯槽３０がモータ４１の駆動により回転するが、シールホルダ５４の内側に圧入されたオイルシールにより、洗濯槽３０は、シールホルダ５４に対して相対的に回転可能な状態で、かつ、水密構造を取り続けることができる。
【００３０】
次に、図２〜６を参照して、リント捕獲装置１００についてより詳しく説明する。
【００３１】
リント捕獲装置１００は、図２に示すように、洗濯槽３０の周側部３０２に設けられた装置取付部３３に取り付けられている。このリント捕獲装置１００は、不透明樹脂で形成されている。
【００３２】
装置取付部３３は、図３に示すように、洗濯槽３０の周側部３０２から径方向の内側に突出している。この装置取付部３３の中央には、洗濯槽３０の回転軸に沿って伸びる取付溝部３４が設けられ、リント捕獲装置１００が取り付けられている。この取付溝部３４の上側（図２の上側）には、後述するリント捕獲装置１００の摘み部１１３３を操作し易くするための凹部３５が設けられている。また、取付溝部３４の周方向の両側（図２の左右側）には、リント捕獲装置１００に向かう強い洗濯水の流れを作り出すための水流形成溝部３６が設けられている。
【００３３】
リント捕獲装置１００は、図４，図５に示すように、装置本体１１０と蓋部１２０とで構成されている。なお、図４，図５において、図４に示す矢印IIの方向から見て、リント捕獲装置１００の短手方向の辺と平行な方向をＸ方向、長手方向の辺と平行な方向をＺ方向、ＸおよびＺ方向に直交する方向をＹ方向とする。また、リント捕獲装置１００のＹ方向に対向する面のうち、図４に示す矢印IIの方向から見た面を主要面１１０１とし、主要面１１０１に対向する面を裏面１１０２とする。
【００３４】
装置本体１１０は、図４，図５に示すように、矩形の箱形状を有している。この装置本体１１０は、その裏面１１０２側に開口が設けられた中空の捕獲室１１１（図５に示す）と、捕獲室１１１のＺ方向の下側に設けられ、蓋部１２０を回転可能に支持する回転支持部１１２（図４に示す）と、捕獲室１１１の外部のＺ方向の上端に設けられ、リント捕獲装置１００を洗濯槽３０に取り付けるための取付爪部１１３とを有している。
【００３５】
捕獲室１１１のＸ方向の両側面には、第１，第２の流入口１１４，１１５がそれぞれ設けられている。この第１，第２の流入口１１４，１１５は、装置本体１１０の開口側の縁部の一部に設けられた切欠形状を有し、装置本体１１０の側面のＺ方向の下側に配置されている。
【００３６】
また、第１，第２の流入口１１４，１１５には、この第１，第２の流入口１１４，１１５を開閉する開閉部の一例の第１，第２のフラップ１３０，１４０がそれぞれ設けられている。この第１，第２のフラップ１３０，１４０は、Ｚ方向に伸びる板状の本体部１３１，１４１と、本体部１３１，１４１の内側面のＹ方向の開口側の縁部に設けられた流出防止部１３２，１４２と、本体部１３１，１４１および流出防止部１３２，１４２のＺ方向の上端を覆う側壁部１４３（図５では一方のみ示す）とで構成されている。
【００３７】
本体部１３１，１４１は、捕獲室１１１のＸ方向に対向する側面の略全体を覆うように設けられており、そのＹ方向の底面側に、Ｚ方向に伸びる回転軸部（図示せず）を有している。すなわち、本体部１３１，１４１は、第１，第２の流入口１１４，１１５を閉鎖した場合に、第１，第２の流入口１１４，１１５および第１，第２の流入口１１４，１１５の周辺部に対向し、第１，第２の流入口１１４，１１５に加えて、第１，第２の流入口１１４，１１５の周辺部を覆うことができるように設けられている。また、流出防止部１３２，１４２は、図３に示すように、本体部１３１，１４１から捕獲室１１１の内部側に向かって略垂直に伸びている。すなわち、第１，第２のフラップ１３０，１４０は、それぞれ、回転軸部の直交方向の断面（図３の断面）視において、同一の略Ｌ字形状を有している。
【００３８】
捕獲室１１１の開口に対向する底面には、この底面から主要面１１０１まで貫通する流出口の一例のメッシュ穴１１１１が複数設けられている。このメッシュ穴１１１１は、洗濯水が通過する際に、洗濯水に含まれる糸屑等の異物（リント）を取り除くことができるように形成されている。また、捕獲室１１１の底面の四隅には、軸受部１１１２（図５では、１つだけ示す）が設けられている。この軸受部１１１２によって、第１，第２のフラップ１３０，１４０の回転軸部が支持され、Ｒ方向に回転可能になっている。
【００３９】
なお、軸受部１１１２は、Ｙ方向から見たときに、捕獲室１１１のＺ方向の側面に対して平行ではなく、このＺ方向の側面と鋭角を成す方向に沿って配置されている。これにより、第１，第２のフラップ１３０，１４０が、その自重によりＸ方向の外側、すなわち、第１，第２の流入口１１４，１１５を閉鎖する方向に移動し易くしている。
【００４０】
回転支持部１１２は、矢印Ｒ（図５に示す）の方向に回転可能に蓋部１２０を支持するように設けられ、捕獲室１１１からＺ方向の下側に向かって伸びている。
【００４１】
取付爪部１１３は、Ｙ方向の断面形状が略Ｕ字で、リント捕獲装置１００を洗濯槽３０に固定するための一対の取付部１１３１，１１３２と、リント捕獲装置１００を洗濯槽３０から取り外すための摘み部１１３３とを有している。一対の取付部１１３１，１１３２は、取付爪部１１３のＺ方向の上側の面の主要面１１０１側の隅部にそれぞれ設けられている。また、摘み部１１３３は、一対の取付部１１３１，１１３２の間に設けられている。
【００４２】
また、装置本体１１０の捕獲室１１１と取付爪部１１３との間には、ユーザの指を引っかけてリント捕獲装置１００を着脱し易くするための溝部１１６（図４に示す）と、蓋部１２０を固定するための一対の凹部１１７（図５に示す）とが設けられている。
【００４３】
溝部１１６は、主要面１１０１側に開口するように配置されている。また、凹部１１７は、裏面１１０２側に開口するように配置され、Ｘ方向の側面に貫通する固定穴１１７１を有している。
【００４４】
蓋部１２０は、図５に示すように、捕獲室１１１の開口を覆うことができる略矩形の板形状を有し、長手方向の一端（図４のＺ方向の下端）が回転支持部１１２に回転可能に取り付けられている。また、この蓋部１２０には、その外面１２０１から内面１２０２まで貫通させたメッシュ穴１２０３（図３に示す）が設けられている。このメッシュ穴１２０３も捕獲室１１１のメッシュ穴１１１１と同様に、洗濯水が通過する際に、洗濯水に含まれるリントを取り除くことができるように形成されている。なお、装置本体１１０の裏面１１０２となる面を外面１２０１、この外面１２０１に対向し装置本体１１０と接触する面を内面１２０２とする。
【００４５】
蓋部１２０の内面１２０２の長手方向の他端（図４のＺ方向の上端）の各隅部には、蓋部１２０を装置本体１１０に固定するための一対の固定爪部１２１，１２２が設けられている。この一対の固定爪部１２１，１２２のＸ方向外側の面には、装置本体１１０の固定穴１１７１に嵌合可能な突起部１２１１（図４，図５には一方のみ示す）が設けられている。
【００４６】
蓋部１２０の内面１２０２には、装置本体１１０に向かって突出する周壁部１２３が設けられている。この周壁部１２３は、その外側面が、装置本体１１０の捕獲室１１１のＸ方向の両側面、Ｚ方向の上側の側面、および、Ｚ方向の上側の側面の一部の内周面と接触するように配置されている。
【００４７】
蓋部１２０の内面１２０２の中央には、長手方向に伸びるリブ１２４が設けられている。このリブ１２４は、捕獲室１１１の第１の流入口１１４と第２の流入口１１５との間を仕切るように設けられており、長手方向の一端（図４のＺ方向の下端）側に２つの切欠１２４１，１２４２を有している。この切欠１２４１，１２４２は、捕獲室１１１の第１，第２の流入口１１４，１１５に対向するように配置されている。
【００４８】
なお、リント捕獲装置１００は、図３に示すように、Ｚ方向の直交方向の断面視において、リブ１２４に対して対称に設けられている。
【００４９】
続いて、リント捕獲装置１００の動作について説明する。
【００５０】
洗濯槽３０の装置取付部３３に取り付けられた状態のリント捕獲装置１００は、図２に示すように、主要面１１０１が洗濯槽３０の径方向の内側を向き、かつ、溝部１１６が洗濯槽３０の開口側に位置している。
【００５１】
図６に示すように、攪拌翼２が反時計回り（以下、正方向とする）に回転すると、洗濯槽３０の内部に上面視において正方向の洗濯水の流れが発生する。この正方向の洗濯水の流れによって、第１のフラップ１３０が捕獲室１１１の内部に押し込まれ、開位置まで移動する。これにより、第１の流入口１１４が開放され、洗濯水が、第１の流入口１１４を介して捕獲室１１１の内部に流れ込む。捕獲室１１１の内部に流れ込んだ洗濯水は、リブ１２４に沿って洗濯槽３０の径方向の内側に向かって流れる。
【００５２】
リブ１２４に沿って流れた洗濯水は、その大部分が、リブ１２４によって仕切られた右側の捕獲室１１１からメッシュ穴１１１１を介して、洗濯槽３０の内部に流出する。このとき、洗濯水に含まれるリントがメッシュ穴１１１１により取り除かれ、右側の捕獲室１１１に捕獲される。
【００５３】
また、洗濯水の一部は、リブ１２４に設けられた切欠１２４１，１２４２（図６では、一方のみを示す）を通って左側の捕獲室１１１の内部に流れ込む。左側の捕獲室１１１の内部に流れ込んだ洗濯水は、第２のフラップ１４０を捕獲室１１１の内部から押圧し、第２の流入口１１５を閉鎖するように閉位置まで移動させると共に、左側の捕獲室１１１からメッシュ穴１１１１を介して、洗濯槽３０の内部に流出する。このとき、洗濯水に含まれるリントがメッシュ穴１１１１により取り除かれ、左側の捕獲室１１１に捕獲される。
【００５４】
一方、図７に示すように、攪拌翼２が時計回り（以下、逆方向とする）に回転すると、洗濯槽３０の内部に上面視において逆方向の洗濯水の流れが発生する。この逆方向の洗濯水の流れによって、第２のフラップ１４０が捕獲室１１１の内部に押し込まれ、開位置まで移動する。これにより、第２の流入口１１５が開放され、洗濯水が、第２の流入口１１５を介して捕獲室１１１の内部に流れ込む。捕獲室１１１の内部に流れ込んだ洗濯水は、リブ１２４に沿って洗濯槽３０の径方向の内側に向かって流れる。
【００５５】
リブ１２４に沿って流れた洗濯水は、その大部分が、リブ１２４によって仕切られた左側の捕獲室１１１からメッシュ穴１１１１を介して、洗濯槽３０の内部に流出する。このとき、洗濯水に含まれるリントがメッシュ穴１１１１により取り除かれ、左側の捕獲室１１１に捕獲される。
【００５６】
また、洗濯水の一部は、リブ１２４に設けられた切欠１２４１，１２４２（図６では、一方のみを示す）を通って右側の捕獲室１１１内に流れ込む。右側の捕獲室１１１の内部に流れ込んだ洗濯水は、第１のフラップ１３０を捕獲室１１１の内部から押圧し、第１の流入口１１４を閉鎖するように閉位置まで移動させると共に、右側の捕獲室１１１からメッシュ穴１１１１を介して、洗濯槽３０内に流出する。このとき、洗濯水に含まれるリントがメッシュ穴１１１１により取り除かれ、右側の捕獲室１１１に捕獲される。
【００５７】
なお、攪拌翼２の回転方向が反転した直後は、反転前に生成された水流と、反転後に生成された水流とが衝突し、捕獲室１１１の内部に向かう洗濯水の流れが弱くなる。このため、第１，第２のフラップ１３０，１４０が、開位置と閉位置との間に位置し、第１，第２の流入口１１４，１１５が、共に開放された中間状態になる。
【００５８】
このような中間状態では、攪拌翼２が反転した後に捕獲室１１１の内部に流れ込む洗濯水の流れによって、捕獲室１１１の内部に捕獲したリントが、洗濯水の流れの下流側の流入口から捕獲室１１１の外部に流出してしまうおそれがある。
【００５９】
上記リント捕獲装置１００では、捕獲室１１１の第１の流入口１１４と第２の流入口１１５との間を仕切るリブ１２４を設けて、一方の流入口から捕獲室１１１の内部に流入した洗濯水が、他方の流入口に向かって流れないように洗濯水の流れを規制している。このため、例えば、攪拌翼２の回転方向が反転し、開放されていた第１の流入口１１４が閉鎖されるまでの間に、捕獲室１１１に捕獲されたリントが、第２の流入口１１５から捕獲室１１１に流入した洗濯水によって、第１の流入口１１４から捕獲室１１１の外部に流出するのを防ぐことができる。
【００６０】
また、捕獲室１１１内に捕獲されたリントは、洗濯水よりも密度が小さいため、その浮力により洗濯水の貯留方向の上側に向かって移動し、洗濯水の水面に集まる。上記リント捕獲装置１００では、第１，第２の流入口１１４，１１５が、装置本体１１０の側面のＺ方向の下側、すなわち、装置本体１１０の側面における洗濯槽３０の底部３０１側の一部に設けられている。これにより、捕獲室１１１内に捕獲されたリントが、第１，第２の流入口１１４，１１５から捕獲室１１１の外部に流出するのを防いでいる。
【００６１】
また、上記リント捕獲装置１００では、第１，第２のフラップ１３０，１４０の本体部１３１，１４１に、捕獲室１１１の内部側に向かって略垂直に伸びる流出防止部１３２，１４２を設けている。これにより、捕獲室１１１の内部から第１，第２の流入口１１４，１１５に向かう洗濯水の流れが、流出防止部１３２，１４２によって妨げられるので、捕獲室１１１の内部に捕獲されたリントが、第１，第２の流入口１１４，１１５から捕獲室１１１の外部に流出するのを防ぐことができる。
【００６２】
さらに、第１，第２のフラップ１３０，１４０の本体部１３１，１４１および流出防止部１３２，１４２の洗濯槽３０の開口側の端部を覆う側壁部１４３を設けているので、捕獲室１１１と第１，第２のフラップ１３０，１４０の貯留方向の上端との間を通って、捕獲室１１１の内部から第１，第２の流入口１１４，１１５に向かう洗濯水の流れを妨げることができる。このため、捕獲室１１１の内部に捕獲されたリントが、第１，第２の流入口１１４，１１５から捕獲室１１１の外部に流出するのを防いで、洗濯水に含まれるリントを捕獲室１１１の内部により確実に捕獲できる。
【００６３】
また、第１，第２のフラップ１３０，１４０が閉位置に位置している場合に、第１，第２のフラップ１３０，１４０の本体部１３１，１４１が、第１，第２の流入口１１４，１１５および第１，第２の流入口１１４，１１５の周辺部に対向するように設けられている。これにより、捕獲室１１１の内部に捕獲されたリントが、第１，第２の流入口１１４，１１５から捕獲室１１１の外部に流出するのを防ぐことができる。
【００６４】
（第２実施形態）
本発明の第２実施形態の洗濯機は、図８に示すように、弾性部材で形成された第１，第２のフラップ２３０，２４０を有するリント捕獲装置２００を備えた点で、第１実施形態の洗濯機１とは異なっている。
【００６５】
このように、第１，第２のフラップ２３０，２４０が弾性部材で形成されているので、自己の弾性力により閉位置で保持され、第１，第２の流入口１１４，１１５の閉鎖状態を維持できる。
【００６６】
また、第１，第２の流入口１１４，１１５から捕獲室１１１の内部に向かう洗濯水の流れが弱くなると、第１，第２のフラップ２３０，２４０が、開位置から閉位置に自己復帰するので、第１，第２の流入口１１４，１１５が共に開放された中間状態の期間を短縮することができる。このため、捕獲室１１１の内部に捕獲されたリントが、第１，第２の流入口１１４，１１５から捕獲室１１１の外部に流出するのを防ぐことができる。
【００６７】
なお、リブ１２４の切欠１２４１，１２４２を通って流れる洗濯水の流れがなくても閉位置に自己復帰できるように、第１，第２のフラップ２３０，２４０の弾性力を調整することで、切欠１２４１，１２４２を省略することができる。
【００６８】
また、第１，第２のフラップ２３０，２４０に糸くず等が絡まり難くなるので、リント捕獲装置２００のメンテナンスが容易になる。
【００６９】
なお、第１，第２のフラップ２３０，２４０は、洗濯機の設計等に応じて、任意の弾性部材で形成できる。
【００７０】
（第３実施形態）
本発明の第３実施形態の洗濯機は、リント捕獲装置を透明樹脂あるいは半透明樹脂で形成した点で、第１実施形態の洗濯機１とは異なっている。
【００７１】
このように、リント捕獲装置を透明樹脂あるいは半透明樹脂で形成することで、リント捕獲装置を洗濯槽３０の装置取付部３３から取り外すことなく捕獲室１１１に捕獲されたリントの量を確認することができる。
【００７２】
なお、構成一部を異なる材料で形成してもよい。例えば、例えば、第１，第２のフラップを弾性部材で形成し、他の構成を透明樹脂で形成してもよい。
【００７３】
（その他の実施形態）
洗濯機は、上記実施形態に限らず、洗濯槽の内周面にリント捕獲装置を設けることができるものであればよい。例えば、洗濯槽は、上記実施形態のような「孔なし」タイプに限らず、周壁に複数個の孔を有する「孔あり」タイプであってもよい。
【００７４】
リント捕獲装置１００，２００は、上記実施形態に限らず、洗濯機の設計等に応じて、任意の材料で形成することができる。
【００７５】
リブ１２４は、蓋部１２０に設ける場合に限らず、装置本体に設けてもよい。また、リブ１２４は、上記第１，第２実施形態に限らず、一方の流入口から捕獲室の内部に流入した洗濯水が、他方の流入口に向かって流れないように洗濯水の流れを規制できるものであれば、任意の形状および大きさで形成し、あるいは、任意の位置に配置することができる。
【００７６】
リブ１２４の切欠１２４１，１２４２は、一方の流入口から流入した洗濯水によって、他方の流入口のフラップを閉位置に留めることができるものであれば、任意の形状および大きさで形成し、あるいは、任意の位置に配置することができる。なお、リブ１２４の切欠１２４１，１２４２は、少なくとも１つあればよいが、上記実施形態では、切欠を２つ設けて、切欠１つあたりの大きさが小さくなるようにしている。これにより、リブ１２４の切欠１２４１，１２４２部分の強度を高めている。
【００７７】
第１，第２のフラップ１３０，１４０，２３０，２４０は、第１，第２の流入口１１４，１１５を開放または閉鎖するように、第１，第２の流入口１１４，１１５にそれぞれ設けられていればよく、洗濯機の設計等に応じて、任意の形状、構成、あるいは、材料等を変更できる。例えば、本体部は、第１，第２の流入口を覆うことができるものであれば、任意の形状および大きさで形成することができる。すなわち、上記第１，第２実施形態では、本体部１３１，１４１は、捕獲室１１１のＸ方向に対向する側面の略全体を覆うように設けられているが、これに限らず、第１，第２の流入口を覆うことができるものであれば、捕獲室のＸ方向に対向する側面の一部を覆うように設けてもよい。また、流出防止部は、一方のフラップのみに設けてもよいし、省略してもよい。また、第１，第２のフラップのうち、一方を弾性部材で形成し、他方を本体部および流出防止部を有するように形成してもよい。
【００７８】
上記第１，第２実施形態では、流出口として、洗濯水が通過する際に洗濯水に含まれるリントを除去するメッシュ穴１１１１を設けているが、これに限らない。例えば、捕獲室の底面に開口を設け、この開口にフィルタ部材を設けてもよい。
【００７９】
上記第２実施形態では、第１，第２のフラップ２３０，２４０を弾性部材で形成しているが、これに限らない。例えば、第１，第２のフラップを樹脂で形成し、この第１，第２のフラップを第１，第２の流入口に向かって付勢するように配置されたばね等の付勢部材をリント捕獲装置に設けてもよい。
【００８０】
本発明および実施形態をまとめると、次のようになる。
【００８１】
本発明の洗濯機１は、
底部３０１および周側部３０２を有し、洗濯水が貯留される有底筒状の洗濯槽３０と、
上記底部３０１に正逆方向に回転可能に設けられ、上記洗濯槽３０に貯留された洗濯水を攪拌して、正逆方向の水流を発生させる攪拌翼２と、
上記周側部３０２の内周面に取り付けられたリント捕獲装置１００と、
を備え、
上記リント捕獲装置１００が、
上記洗濯水に含まれるリントを捕獲するための捕獲室１１１と、
周方向の側部の一方に設けられ、上記洗濯水を上記捕獲室１１１の内部に流入させるための第１の流入口１１４と、
周方向の側部の他方に設けられ、上記洗濯水を上記捕獲室１１１の内部に流入させるための第２の流入口１１５と、
上記捕獲室１１１の内部に流入した洗濯水を上記捕獲室１１１の外部に流出させるための流出口１１１１と、
上記攪拌翼２による正方向の水流によって上記第１の流入口１１４を開放すると共に、上記攪拌翼２による逆方向の水流によって上記第１の流入口１１４を閉鎖するように、上記第１の流入口１１４に設けられた第１の開閉部１３０と、
上記攪拌翼２による逆方向の水流によって上記第２の流入口１１５を開放すると共に、上記攪拌翼２による正方向の水流によって上記第２の流入口１１５を閉鎖するように、上記第２の流入口１１５に設けられた第２の開閉部１４０と、
上記捕獲室の上記第１の流入口と上記第２の流入口との間を仕切るように設けられたリブ１２４と、
を有することを特徴としている。
【００８２】
本発明の洗濯機１によれば、洗濯水に含まれるリントが捕獲室１１１に捕獲される。このため、簡単な構成で、洗濯水に含まれるリントを捕獲できる。
【００８３】
また、捕獲室１１１の第１の流入口１１４と第２の流入口１１５との間を仕切るリブを設けている。これにより、一方の流入口から捕獲室１１１の内部に流入した洗濯水が、他方の流入口に向かって流れないように洗濯水の流れを規制できる。このため、例えば、攪拌翼２の回転方向が反転し、開放されていた第１の流入口１１４が閉鎖されるまでの間に、捕獲室１１１に捕獲されたリントが、第２の流入口１１５から捕獲室１１１に流入した洗濯水によって、第１の流入口１１４から捕獲室１１１の外部に流出するのを防ぐことができる。
【００８４】
また、一実施形態の洗濯機１は、
上記開閉部１３０，１４０の少なくとも１つが、上記流入口１１４，１１５を開閉する本体部１３１，１４１と、この本体部１３１，１４１から上記捕獲室１１１の内部側に向かって伸びる流出防止部１３２，１４２と、を有する。
【００８５】
上記実施形態によれば、第１，第２の開閉部１３０，１４０の本体部１３１，１４１に、捕獲室１１１の内部側に向かって略垂直に伸びる流出防止部１３２，１４２をそれぞれ設けている。これにより、捕獲室１１１の内部から第１，第２の流入口１１４，１１５に向かう洗濯水の流れが、流出防止部１３２，１４２によって妨げられるので、捕獲室１１１の内部に捕獲されたリントが、第１，第２の流入口１１４，１１５から捕獲室１１１の外部に流出するのを防ぐことができる。
【００８６】
また、一実施形態の洗濯機１は、
上記流入口１１４，１１５の少なくとも１つが、上記リント捕獲装置１００の周方向の側部における上記底部３０１側の一部に設けられている。
【００８７】
上記実施形態によれば、第１，第２の流入口１１４，１１５が、リント捕獲装置１００の周方向の側部における洗濯槽３０の底部３０１側の一部に設けられている。このため、例えば、捕獲室１１１内に捕獲され後、浮力により水面に集まったリントが、第１，第２の流入口１１４，１１５から捕獲室１１１の外部に流出するのを防ぐことができる。
【００８８】
また、一実施形態の洗濯機１は、
上記開閉部１３０，１４０の少なくとも１つが、上記流入口１１４，１１５および上記流入口１１４，１１５の周辺部を覆うことができるように設けられている。
【００８９】
上記実施状態によれば、第１，第２の開閉部１３０，１４０の少なくとも１つが、第１，第２の流入口１１４，１１５および第１，第２の流入口１１４，１１５の周辺部に対向可能に設けられている。これにより、捕獲室１１１の内部に捕獲されたリントが、第１，第２の流入口１１４，１１５から捕獲室１１１の外部に流出するのを防ぐことができる。
【００９０】
また、一実施形態の洗濯機は、
上記開閉部１３０，１４０の少なくとも１つが、弾性部材で形成されている。
【００９１】
上記実施形態によれば、第１，第２の開閉部２３０，２４０が弾性部材で形成されているので、自己の弾性力により、第１，第２の流入口１１４，１１５の閉鎖状態を維持できる。
【００９２】
上記実施形態で述べた構成要素は、適宜、組み合わせてもよく、また、適宜、選択、置換、あるいは、削除してもよいのは、勿論である。
【符号の説明】
【００９３】
１  洗濯機
２  攪拌翼
１０  外箱
１１  上面板
１２  ベース
１３  脚部
１４  洗濯物投入口
１５  上蓋
２０  水槽
３０  洗濯槽
３０１  底部
３０２  周側部
３１  脱水孔
３２  バランサ
３３  装置取付部
３４  取付溝部
３５  凹部
３６  水流形成溝部
４０  駆動ユニット
４１  モータ
４２  ベルト機構
４３  クラッチ・ブレーキ機構
４４  脱水軸
４５  攪拌翼軸
５０  排水経路
５１  排水口
５２  排水路
５３  接続管
５４  シールホルダ
５６  排水空間
５７  排水孔
５８  排水弁
６１  接続管
７０  制御装置
１００  リント捕獲装置
１１０１  主要面
１１０２  裏面
１１０  装置本体
１１１  捕獲室
１１１１  メッシュ穴
１１１２  軸受部
１１２  回転支持部
１１３  取付爪部
１１３１，１１３２  取付部
１１３３  摘み部
１１４  第１の流入口
１１５  第２の流入口
１１６  溝部
１１７  凹部
１１７１  固定穴
１２０  蓋部
１２０１  外面
１２０２  内面
１２０３  メッシュ穴
１２１，１２２  固定爪部
１２１１  突起部
１２３  周壁部
１２４  リブ
１２４１，１２４２  切欠
１３０，２３０  第１のフラップ
１３１  本体部
１３２  流出防止部
１４０，２４０  第２のフラップ
１４１  本体部
１４２  流出防止部
１４３  側壁部
【図１】
0006697782.tif 000002
【図２】
0006697782.tif 000003
【図３】
0006697782.tif 000004
【図４】
0006697782.tif 000005
【図５】
0006697782.tif 000006
【図６】
0006697782.tif 000007
【図７】
0006697782.tif 000008
【図８】
0006697782.tif 000009